(57)【特許請求の範囲】
【請求項１】
外枠２の前面に開閉可能に組み付けられたベース枠１０と、
前記ベース枠１０の裏面に設けられた支持枠体１１と、
前記支持枠体１１に対し前記ベース枠１０の裏側から着脱可能に嵌め込まれる遊技盤１３と、
前記遊技盤１３の前面１４に遊技領域１４ａを区画するように設けられ、平帯状の金属板より形成された導電性を有するレール１５と、
前記遊技盤１３の前記遊技領域１４ａの下部に設けたアウト口に嵌め込まれ、前記レール１５に対して電気的に接続された導電性の口金１５ａと、
前記ベース枠１０の前面に開閉可能に組み付けられ、前記遊技盤１３の前記遊技領域１４を透視可能な略円形の開口窓３２が形成された表枠３０と、
前記表枠３０の裏面側に配された導電性の補強部材３１ａと、
前記補強部材３１ａの裏面側に位置するように前記表枠３０に設けられ、前記補強部材３１ａと電気的に導通可能に接続された導電性のガラス枠３３と、
金属製の板バネより形成され、長手方向のほぼ中央部２９０ａにおいて前記支持枠体１１の下縁中央部に固定されているとともに、両端部２９１，２９２が弾性変形可能とされている導電接続部材２９０とを備え、
前記弾性接続部材２９０の一端部２９１は、前記表枠３０の下部枠３４と当接し得るように下方へ延出した形態であって、前記ガラス枠３３が閉塞された状態での前記下部枠３４に対し弾性変形した状態で裏側から当接することで電気的導通可能に常に接続保持され、
前記弾性接続部材２９０の他端部２９２は、前記遊技盤１３の前記口金１５ａと当接し得るように上方へ延出した形態であって、前記遊技盤１３が前記支持枠体１１内にセットされた状態での前記口金１５ａに対し弾性変形した状態で前方から当接することで電気的導通可能に常に接続保持され、
前記ベース枠１０の裏側には、アース回路２１０を備えた電源基板２００が設けられ、
前記アース回路２１０に、前記補強部材３１ａが接続されている遊技機。
【請求項２】
請求項１に記載の遊技機であって、前記遊技盤１３に装着された遊技構成部材には導電部１５ｂが設けられ、その導電部１５ｂが前記レール１５に電気的に接続されている遊技機。
【請求項３】
請求項１又は２に記載の遊技機であって、前記補強部材３１ａと前記ガラス枠３３は、前記アース回路２１０に逆流防止手段２２０を介して電気的に接続されている遊技機。
【請求項４】
請求項１〜３のいずれか一項に記載の遊技機であって、前記アース回路２１０には、前記表枠３０から離れて設置された集電部材１８１又は制御基板６の基板アースが逆流防止手段２２２を介して電気的に接続されている遊技機。
【発明の詳細な説明】
【０００１】
【発明の属する技術分野】
この発明は、例えばパチンコ機のような遊技機に関する。
【０００２】
【従来の技術】
従来、遊技機としてのパチンコ機において、遊技盤の前面には遊技領域を区画するレールが装着され、その遊技領域内には各種の入賞器、役物装置、表示装置、ゲート口、風車器、誘導釘等が配設されている。そして、発射装置から発射される球（パチンコ球）がレールに案内されて遊技領域に打ち出されることによって、遊技（パチンコ遊技）が行われるようになっている。
【０００３】
【発明が解決しようとする課題】
ところで、遊技盤前面の遊技領域に発射される球には、静電気が帯電しやすく、その球に帯電した静電気が原因となって、遊技等に係わる制御回路装置（制御基板とも言われている）が誤動作する不具合が発生する場合があった。
【０００４】
この発明の目的は、前記問題点に鑑み、球に帯電した静電気が原因となって発生する不具合を防止することができる遊技機を提供することである。
【０００５】
【課題を解決するための手段】
前記目的を達成するために、第１の発明に係る遊技機は、請求項１に記載のとおりの構成を要旨とする。したがって、発射装置から発射され球がレールに案内されて遊技領域に打ち出される際、球に静電気が帯電している場合、その球の静電気は、レール１５，口金１５ａ，導電接続部材２９０をそれぞれ経て表枠３０の補強部材３１ａとガラス枠３３に流れる。ここで、アース回路２１０が接地されていない場合には、補強部材３１ａとガラス枠３３において放電される。アース回路２１０が接地されている場合には、球の静電気は、補強部材３１ａとガラス枠３３を経てアース回路２１０に流れる。このため、球に帯電した静電気が原因となる不具合を防止することができる。導電接続部材２９０は支持枠体１１を含むベース枠１０側に装着されているため、遊技盤１３側に導電接続部材が装着された場合と異なり、支持枠体１１に対する遊技盤１３の着脱や遊技盤１３の運搬等に際し、導電接続部材２９０が物に当たって不測に損傷される不具合を防止することができる。
【０００６】
また、弾性を有する導電接続部材２９０は、その一端部２９１が表枠３０のガラス枠３３に弾性的に圧接し、他端部２９２がレール１５に接続された口金１５ａに弾性的に圧接することによって、レール１５と表枠３０の導電性部分である補強部材３１ａとガラス枠３３とを容易にかつ接続不良なく確実に接続することができる。このため、電線等を用いてレール又はレールに接続された導電性部材と、表枠の導電性部分とを電気的に接続する煩わしさを解消することができる。さらに、ベース枠１０に対し遊技盤１３を脱着する際、導電接続部材２９０の他端部２９２をレール又はレールに接続された導電性部材に対し接離させることによって対処することができ、導電接続部材２９０が遊技盤１３の脱着の妨害物となる不具合も軽減することができる。
【０００９】
また、第２の発明に係る遊技機は、請求項２に記載のとおりの構成を要旨とするものである。したがって、静電気をもつ球が遊技盤の遊技構成部材の導電部に接触することによって、前記球の静電気が遊技構成部材の導電部を通してレールに流れ、導電接続部材２９０と、表枠３０の補強部材３１ａ及びガラス枠３３を経てアース回路２１０に接続される。このため、球に帯電した静電気が原因となる不具合をより一層防止することができる。
【００１１】
また、第３の発明に係る遊技機は、請求項３に記載のとおりの構成を要旨とするものである。したがって、逆流防止手段２２０によって遊技機のアース回路２１０の電流が表枠３０の補強部材３１ａ及びガラス枠３３に向けて逆流する不具合を防止することができる。
【００１２】
また、第４の発明に係る遊技機は、請求項４に記載のとおりの構成を要旨とするものである。したがって、表枠３０から離れて設置された集電部材１８１が逆流防止手段２２２を介してアース回路２１０に接続されている場合、集電部材１８１において集電された静電気がアース回路２１０に流れた後、その静電気が集電部材１８１側に向けて逆流する不具合を防止することができる。また、制御基板６の基板アースが逆流防止手段２２２を介してアース回路２１０に接続されている場合、制御基板６の基板アースの電流が逆流防止手段２２２を介してアース回路２１０に流れるため、制御基板６を保護することができる。また、アース回路２１０に流れた電流は、逆流防止手段２２２によって制御基板６側に向けて逆流する不具合を防止することができる。
【００１３】
【発明の実施の形態】
（実施の形態１）
この発明の実施の形態１を図１〜図１５にしたがって説明する。
図３〜図６において、遊技機としてのパチンコ機１は、外枠２（木枠とも呼ばれている）、ベース枠１０（前枠とも呼ばれている）及び表枠３０（前面ガラス枠、ガラス枠等とも呼ばれている）を主体として構成されている。外枠２は、方形枠状に形成され、その前面の下部には、ベース枠１０の下端面を受ける下受板３が取り付けられている。
外枠２の前面の一側には、ベース枠用ヒンジ機構１００によってベース枠１０が開閉可能に組み付けられている。
図３と図４に示すように、ベース枠１０は、遊技盤１３の前面の略全体を露出する開口部を有する方形額縁状に形成されている。ベース枠１０の裏面には、その開口部周縁に沿って、遊技盤１３が着脱可能に嵌込まれその遊技盤１３を支持するための支持部としての支持枠体１１が設けられている。なお、合成樹脂材料等によって支持枠体１１をベース枠１０と一体成形してもよく、ベース枠１０とは別体に支持枠体１１を形成して、ベース枠１０の裏面に装着してもよい。
【００１４】
図３と図６に示すように、前記ベース枠１０の裏面側には、その支持枠体１１の片側の枠部１１ａにおいて、後述する制御ボックス装置６を取り囲むようにし、かつ裏セット用ヒンジ機構１２０によって裏セット部材１６が開閉可能に組み付けられている。この裏セット部材１６の裏面側には、その上部から下部に向けて球タンク７０、タンクレールとも呼ばれている球誘導樋７１、上部払出樋７２、球払出装置７３及び下部払出樋７４が順次に連通して配設されている。また、裏セット部材１６の下部近傍には、遊技盤１３の各入賞口に流入した遊技球を遊技盤１３の裏面の下部に沿って排出案内するための集合樋７５が設けられている（図６参照）。
この実施の形態において、裏セット部材１６は、導電性材料、例えば、カーボンフィラ等が混入された導電性樹脂材料によって所望とする形状に形成され、静電気の放電部材としても機能するようになっている。
【００１５】
また、図３に示すように、前記ベース枠１０の支持枠体１１には、裏セット部材１６を閉じ状態に保持するための複数の締付具１９が組み付けられている。そして、まず、支持枠体１１に遊技盤１３が嵌込まれ、次に、裏セット部材１６が閉じられ、その裏セット部材１６が複数の締付具１９によって閉じ状態に保持されることで、ベース枠１０の支持枠体１１に裏セット部材１６を介して遊技盤１３が固定されるようになっている。また、これとは逆に、複数の締付具１９を外して裏セット部材１６を開いた状態のもとで、ベース枠１０の裏面側からその支持枠体１１に対し遊技盤１３が着脱されるようになっている。
【００１６】
図４に示すように、遊技盤１３の前面１４には平帯状の金属板より形成されて導電性を有するレール１５が装着されている。そして、遊技盤１３の前面１４には、そのレール１５の内側において遊技領域１４ａが区画されている。
また、レール１５は、その片側（図４に向かって左側）に内側レール部と外側レール部とを有し、これら内外のレール部の間には発射案内路が構成されている。また、遊技盤１３の遊技領域１４ａ内には、遊技構成部材としての各種の入賞装置、役物装置、図柄表示装置、アタッカ装置、ゲート口、風車器、誘導釘等（図示しない）が配設されている。そして、発射ハンドル装置２０を操作して発射ハンマーを作動することによって発射位置にある球（パチンコ球）がレール１５の発射案内路に案内されて遊技領域１４ａに打ち出されるようになっている。また、遊技盤１３の裏面側には、その遊技盤１３に装着された各種の入賞装置、役物装置、図柄表示装置、アタッカ装置等の遊技構成部材等を制御する制御基板が収納された制御ボックス装置６が装着されている（図６参照）。
【００１７】
なお、図３に示すように、前記ベース枠１０の裏面の自由端側には、上下二つのベース枠施錠用フック１７が上下方向にスライド可能に組み付けられ、外枠２に対しベース枠１０が閉じられたときには、そのベース枠施錠用フック１７が外枠２に固定の係合部（図示しない）に係合し、これによって外枠２に対しベース枠１０が閉じ状態に施錠されるようになっている。また、外枠２に対するベース枠１０の解錠は、図４と図５に示すように、ベース枠１０の前面の自由端側下部寄りに配設された鍵穴２２に対し鍵を挿入し、その鍵を一方向に回動操作することで、ベース枠施錠用フック１７が下方にスライドして外枠２の係合部から外れ、これによって、外枠２に対しベース枠１０が解錠されるようになっている。
図７〜図９に示すように、前記支持枠体１１の開口部周縁部には下部差込溝２３、左右の両側部差込溝２４及び上部差込溝２５が略四角環状をなして設けられている。さらに、図４と図５に示すように、ベース枠１０の下部には、球発射用の発射ハンドル装置２０や下皿２１等が組み付けられている。
【００１８】
図４に示すように、遊技盤１３の前側を覆うようにして配設された表枠３０は、少なくとも一部分（一部分または全体部）が導電性を有するものであり、ベース枠１０の前面の一側に表枠用ヒンジ機構１４０によって開閉可能に組み付けられている。
この実施の形態１において、表枠３０は、表枠本体３１、補強部材３１ａ、ガラス枠３３等を備えている。
図７〜図９に示すように、表枠本体３１は、合成樹脂材料よりなり、その略中央部に遊技盤１３の遊技領域１４を透視可能な略円形の開口窓３２が形成されている。
また、図５及び図７〜図１１に示すように、表枠本体３１の前面には、その開口窓３２の周囲において凹凸の装飾が施された合成樹脂製の装飾部材５０が組み付けられ、その装飾部材５０には、光が出射されるレンズを備えた飾り窓５１が適宜に形成される他、遊技盤１３の盤面に貼り付けられた証紙を透視可能な窓５２が形成されている。また、表枠本体３１と装飾部材５０との間の空間部には装飾部材５０の各レンズを照明するランプを備えたランプ基板５３が配設されている。
前記補強部材３１ａは、導電性部分をなす導電部材として存在し、かつ静電気の放電部材（又は集電部材）として機能する。すなわち、補強部材３１ａは、鉄板等の導電性金属板よりなり、表枠本体３１の裏面の略全域にわたる面積を有して表枠本体３１の裏面に装着されかつ表枠本体３１を補強している。
また、この実施の形態１において、補強部材３１ａには、ランプ基板５３の裏面側に表示された部品番号、製造者名等の表示部５４を、表枠本体３１の透孔５５を通して視認可能な視認孔５６が形成されている（図１０及び図１１参照）。
【００１９】
前記ガラス枠３３は、表枠本体３１の開口窓３２を透視可能に塞ぐ前後二枚の方形のガラス板２９を保持するするためのもので、このガラス枠３３は、補強部材３１ａの裏面側に設けられている。
前記ガラス枠３３は、鉄板等の導電性金属板よりなり、補強部材３１ａと一体または補強部材３１ａと別個に形成されかつ溶接によって一体状に固着されて電気的に導通可能となっている。そして、このガラス枠３３においても、静電気の放電部材、集電部材として機能するようになっている。
また、ガラス枠３３は、開口窓３２の下方において左右方向に延びる下枠部３４と、その下枠部３４の左右両端から上方に延びる左右の両側枠部３７とを備えて略Ｕ字枠状に形成されている。
【００２０】
図７〜図１１に示すように、前記ガラス枠３３の下枠部３４及び左右の両側枠部３７には、前後二枚のガラス板２９を保持するための保持溝３５、３８がそれぞれ形成されている。これら各保持溝３５、３８はこれら側枠部３７の上端に開口し、その各保持溝３５、３８の上端開口部をガラス差込口としている。そして、前後二枚のガラス板２９の左右両側部が左右の両側枠部３７のガラス差込口から各保持溝３５、３８に差し込まれ、そのガラス板２９の下縁が下枠部３４の保持溝３５に差し込まれて支持されることで、ガラス板２９が保持されるようになっている。
また、ガラス枠３３の左右の両側枠部３７の上端には、ガラス押え体６１が、ガラス押え位置とガラス差込口を開いて待避する待避位置とに変位可能に組み付けられている。また、ガラス枠３３の下枠部３４及び左右の両側枠部３７には、ベース枠１０の下部差込溝２３及び左右の両側部差込溝２４に対しそれぞれ差し込まれて異物の侵入を防止する下部差込片３６と側部差込片３９とがそれぞれ形成されている。
【００２１】
なお、図４に示すように、表枠本体３１と補強部材３１ａとの間の自由端側には、上下及び中間の計三つの施錠用フック８０が上下方向にスライド可能に組み付けられられている。そして、ベース枠１０に対し表枠３０が閉じられたときには、その施錠用フック８０がベース枠１０に形成された係合穴８１に係合し、これによって、ベース枠１０に対し表枠３０が閉じ状態に施錠されるようになっている。
また、ベース枠１０に対する表枠３０の解錠は、ベース枠１０の鍵穴２２に対し鍵を挿入し、その鍵を、前記外枠２に対するベース枠１０の解錠方向とは逆の方向に回動操作することで、施錠用フック８０が下方にスライドして係合穴８１から外れる。これによって、ベース枠１０に対し表枠３０が解錠されるようになっている。
また、図４と図５に示すように、ベース枠１０の前面の一側には、前記表枠３０の下方に隣接しかつ図示しないヒンジ機構によって下板９０が開閉可能に組み付けられている。この下板９０の裏面の自由端側にはベース枠１０に対し下板９０を閉じ状態に係脱可能に保持する閉止爪９２を備えた係合金具９１が配設され、下板９０の前面には上皿９３が配設されている。
【００２２】
図７と図８に示すように、レール１５と表枠３０の補強部材３１ａとは導電接続部材２９０によって電気的に接続されている。
また、導電接続部材２９０は、金属製の板バネより形成され、そのほぼ中央部の取付部２９０ａにおいて、ベース枠１０側（ベース枠１０と支持枠体１１とのうち、少なくとも一方の部材）に固定されている。
この実施の形態において、導電接続部材２９０は、ベース枠１０の支持枠体１１の所定位置にビス２９５によって固定されている（図８参照）。
導電接続部材２９０の一端部２９１はベース枠１０の下部差込溝２３の底部から溝開口部に向けて傾斜をなして弾性変形可能に延出されている。そして、ベース枠１０に対し表枠３０が閉じたときには、そのガラス枠３３の下枠部３４の下部差込片３６が導電接続部材２９０の一端部２９１を押し込みながら弾性変形させ、これによって導電接続部材２９０の一端部２９１がガラス枠３３の下枠部３４の下部差込片３６を介して補強部材３１ａに電気的に接続されるようになっている。
【００２３】
また、導電接続部材２９０の他端部２９２は、レール１５に対し直接的、又はレール１５に接続された導電性部材に弾性的に圧接している。この実施の形態１において、図８に示すように、遊技盤１３の遊技領域１４ａの下部に設けられたアウト口の口金１５ａを導電性部材とし、その口金１５ａ前面に対し、導電接続部材２９０の他端部２９２が接離可能に弾性的に圧接している。
【００２４】
また、この実施の形態１において、図１と図２に示すように、裏セット部材１６と、表枠３０の補強部材３１ａとは、ベース枠用ヒンジ機構１００、裏セット用ヒンジ機構１２０及び表枠用ヒンジ機構１４０を介して電気的に接続され、裏セット部材１６に帯電した静電気を、裏セット部材１６自身において放電すると共に、放電部材としての補強部材３１ａにおいても放電するようになっている。すなわち、図１に示すように、ベース枠用ヒンジ機構１００の上側のヒンジ構成部品は、外枠２の上隅部に固定された隅金具としても機能するヒンジ板１０１と、ベース枠１０の上部隅部に固定されたヒンジ板１０２と、これら両ヒンジ板１０１、１０２を回動可能に連結しているヒンジ軸１０３とを備えている。また、両ヒンジ板１０１、１０２及びヒンジ軸１０３は、導電性金属材よりなりそれぞれ形成されている。
さらに、ベース枠１０に固定のヒンジ板１０２は、断面略Ｌ字状をなし、その一辺１０２ａがベース枠１０の裏面に対し導電性金属材よりなる固定ピン１０４によって固定されている。
【００２５】
また、図１と図２に示すように、裏セット用ヒンジ機構１２０の上側のヒンジ構成部品は、ベース枠１０における支持枠体１１の片側の枠部１１ａ裏面の所定位置に固定されたヒンジ板１２１と、裏セット部材１６の所定位置に固定されたヒンジ板１２２と、これら両ヒンジ板１２１、１２２を回動可能に連結しているヒンジ軸１２３とを備えている。
また、両ヒンジ板１２１、１２２及びヒンジ軸１２３は、導電性金属材よりなりそれぞれ形成されている。さらに、支持枠体１１の片側の枠部１１ａに固定のヒンジ板１２１は、断面略Ｌ字状をなし、その一辺１２１ａが枠部１１ａの裏面に対し導電性金属材よりなる取付ネジ１２５によって固定されている。
また、裏セット部材１６側のヒンジ板１２２は、導電性金属材よりなる取付ねじ１２６によって裏セット部材１６の所定位置に固定されている。このヒンジ板１２２を固定する取付ねじ１２６は、接続端子１８０として機能するようになっている。
【００２６】
また、図１と図４に示すように、表枠用ヒンジ機構１４０の上側のヒンジ構成部品は、表枠３０の補強部材３１ａの一側寄り上部に折り曲げ加工によって一体に形成されて導電性を有する筒状の軸受け筒部１４１と、その軸受け筒部１４１の軸受け孔に上下動可能に支持され、常にはバネ（図示しない））によって上方に付勢されたヒンジ軸１４２と、ベース枠１０の前面上部に固定されかつ前記ヒンジ軸１４２が回動可能に嵌挿されるヒンジ板１４３とを備えている。また、ベース枠１０のヒンジ板１４３及びヒンジ軸１４２は、導電性金属材よりなりそれぞれ形成されている。
さらに、ベース枠１０のヒンジ板１４３は断面略Ｌ字状をなし、その一辺１４３ａがベース枠１０の前面に対し、同ベース枠１０の裏面に固定のベース枠用ヒンジ機構１００のヒンジ板１０２と共通の固定ピン１０４によって固定されている。
また、ベース枠１０の表枠用ヒンジ機構１４０のヒンジ板１４３の他辺１４３ｂにはヒンジ軸１４２が回動並びに上下動可能に嵌挿されるヒンジ孔が形成されている。
したがって、表枠３０の補強部材３１ａは、表枠用ヒンジ機構１４０における軸受け筒部１４１、ヒンジ軸１４２、ヒンジ板１４３及び固定ピン１０４を介してベース枠用ヒンジ機構１００のヒンジ板１０２に電気的に接続されるようになっている。
【００２７】
前記ベース枠１０における支持枠体１１の片側の枠部１１ａの内面の所定位置には、裏セット用ヒンジ機構１２０における枠部１１ａに固定のヒンジ板１２１と、表枠用ヒンジ機構１４０におけるベース枠１０に固定のヒンジ板１４３とを、ベース枠用ヒンジ機構１００におけるベース枠１０に固定のヒンジ板１０２を介して電気的に接続するための導電接続部材１６０が配設されている。
前記導電接続部材１６０は、金属製で弾性を有するワイヤよりなり、その略中央部が巻回されて枠部１１ａの内面の所定位置に突設されたボス部１５０に取付ネジ１５１によって装着されている。
【００２８】
図１と図２に示すように、前記導電接続部材１６０の一端部（上端部）はベース枠１０に固定のヒンジ板１０２に向けて延出されている。そして導電接続部材１６０の一端部にはベース枠１０に固定のヒンジ板１０２に弾性的に圧接する接続部１６１が略鉤形状に屈曲されて形成されている。
また、導電接続部材１６０の他端部（下端部）は支持枠体１１の片側の枠部１１ａに固定のヒンジ板１２１に向けて延出されている。そして、導電接続部材１６０の他端部には略直角状に折り曲げられて接続部１６２が形成されている。この接続部１６２は、ヒンジ板１２１を固定するために片側の枠部１１ａの内面に突設されたボス部１５２の中心孔（下孔）に嵌挿されかつその接続部１６２の先端が取付ネジ１２５の先端部に弾性的に圧接するようになっている。
前記したようにして、ベース枠１０に固定のヒンジ板１０２と、枠部１１ａに固定のヒンジ板１２１とが電気的に接続されることで、裏セット部材１６と表枠３０の補強部材３１ａとが電気的に接続されるようになっている。
【００２９】
図６に示すように、ベース枠１０の裏面側の所定位置（図６に向かって右上隅部）には、電源ボックス装置２０１が配置されている。この電源ボックス装置２０１内には電源基板２００が収納されている。
図１５に示すように、電源基板２００には、電源から供給される交流（例えば２４ボルト）を入力して直流（例えば、５ボルト、１２ボルト等）に変換して出力する安定化電源回路２０２が設けられている。
また、電源基板２００には、パチンコ機１の各部で発生した静電気を逃がすためのアース回路２１０が設けられている。さらに、電源基板２００には、そのアース回路２１０の入力側において、複数、例えば、第１、第２及び第３のアース入力端子２１５、２１６、２１７がそれぞれ配設されている。これら第１、第２及び第３のアース入力端子２１５、２１６、２１７とアース回路２１０との間には、アース回路２１０側から第１、第２及び第３のアース入力端子２１５、２１６、２１７に向けて電気が逆流するのを防止するための逆流防止手段としての素子逆流防止素子２２０、２２１、２２２がそれぞれ個別に配設されている。
【００３０】
また、電源基板２００には、アース回路２１０の出力側においては、１つのアース出力端子２０４が配設されている。このアース出力端子２０４にはアース線２０３が接続されて接地されている。
電源基板２００のアース回路２１０は、必要に応じて逆流防止素子２０８を介して交流入力の電源線２０６に接続されてもよい。また、アース回路２１０においても、必要に応じて電源基板２００の基板アースに対し逆流防止素子２１２を介して接続されてもよい。
また、電流の逆流を防止する逆流防止素子２０８、２１２、２２０、２２１としては、例えば、抵抗器、ダイオード、アレスタ等が用いられる。
【００３１】
図１５に示すように、裏セット部材１６は、放電部材としての補強部材３１ａと、アース入力端子２１５とに電気的接続手段２３０によってそれぞれ接続されている。この実施の形態１において、電気的接続手段２３０は、裏セット用ヒンジ機構１２０、導電接続部材１６０、表枠用ヒンジ機構１４０及び接続線２３１によって構成されている。そして接続線２３１の一端部は、裏セット用ヒンジ機構１２０のヒンジ板１２２の取付ねじ１２６を接続端子１８０として、接続端子１８０に電気的に接続され、接続線２３１の他端端部は、電源基板２００のアース回路２１０の第１のアース入力端子２１５に電気的に接続されている。
また、この実施の形態１において、電源基板２００のアース回路２１０の第２のアース入力端子２１６には電気的接続手段２４０によって発射ハンドル装置２０が接続されている。そして、遊技者がもつ静電気が発射ハンドル装置２０、電気的接続手段２４０を通しかつ逆流防止素子２２１を介してアース回路２１０に流れるようになっている。
また、電源基板２００のアース回路２１０の第３のアース入力端子２１７には電気的接続手段２４１によって制御ボックス装置６の制御基板に設けられた基板アースが接続されている。そして、制御ボックス装置６の制御基板において、その基板アースに流れる電流が電気的接続手段２４１を通しかつ逆流防止素子２２２を介してアース回路２１０に流れるようになっている。
【００３２】
また、図１２〜図１４に示すように、パチンコ機１の外側面には、球貸機２５１（現金式球貸機、又はカード式球貸機）が接近して設置されている。球貸機２５１が現金式球貸機である場合、その現金式球貸機に供給される球の摩擦によって大きい静電気が発生することがある。
この球貸機２５１において発生する静電気がパチンコ機１に流れるのを防止するために、球貸機２５１とパチンコ機１との間には絶縁手段が配設されている。
この実施の形態１において、絶縁手段は、外枠２の隅金具としても機能するヒンジ板１０１（ベース枠用ヒンジ機構１００の一部を構成するヒンジ板）の外表面に対し絶縁テープ２８１が貼り付けられることによって構成され、球貸機２５１とパチンコ機１とを絶縁状態に保持するようになっている。
なお、球貸機２５１とパチンコ機１とを絶縁状態に保持するための絶縁手段としては、絶縁テープ２８１の他に、ヒンジ板１０１の外表面に合成樹脂製絶縁シートを接着剤によって貼り付けて絶縁手段を構成することもできる。また、ヒンジ板１０１の外表面を合成樹脂製の絶縁カバーで覆うことによって絶縁手段を構成することもできる。さらに、ヒンジ板１０１の外表面に絶縁性塗料を塗布して絶縁層を設けことによって絶縁手段を構成することもできる。
また、外枠２のヒンジ板１０１の外表面に対向する球貸機２５１の外側面に絶縁層を設けて絶縁手段を構成することも可能である。
【００３３】
この実施の形態１のパチンコ機１は上述したように構成される。
したがって、電源基板２００のアース回路２１０のアース出力端子２０４がアース線２０３によって接地されている状態において、発射ハンドル装置２０を操作することによって、発射位置から発射された球がレール１５に接して案内され、遊技領域１４ａに打ち出される際、その球に帯電している静電気は、レール１５に流れる。レール１５に流れた静電気は口金１５ａ、導電接続部材２９０及び表枠３０のガラス枠３３の下枠部３４における下部差込片３６を介して、ガラス枠３３及び補強部材３１ａに流れる。
また、図１８に示すように、遊技盤１３の遊技領域１４ａに配設された役物装置、入賞装置、アタッカ装置等の遊技構成部材の本体部をなす部材、例えば、アタッカ装置等の本体部材１５ｂがメッキによる表面処理等によって導電性を有し、その導電部、すなわち、本体部材１５ｂが口金１５ａに接触して配置れている場合には、そのアタッカ装置等の本体部材１５ｂに球が接触することによって、球に帯電している静電気がアタッカ装置等の本体部材１５ｂに流れ、口金１５ａ、導電接続部材２９０及び表枠３０のガラス枠３３の下枠部３４における下部差込片３６を介して、ガラス枠３３及び補強部材３１ａに流れる。
【００３４】
すなわち、下部差込片３６を有する下枠部３４を含むガラス枠３３は、鉄板等の導電性金属板よりなり、補強部材３１ａと一体又は溶接等によって電気的に導通可能に設けられている。このため、球に帯電した静電気は、アタッカ装置等の本体部をなす部材１５ｂ、レール１５、口金１５ａに流れ、導電接続部材２９０を介してガラス枠３３及び補強部材３１ａにそれぞれ流れる。その後、静電気は、表枠用ヒンジ機構１４０及び導電接続部材１６０を経て接続線２３１に流れる。そして、接続線２３１に流れた静電気は、第１のアース入力端子２１５、逆流防止素子２２０を経てアース回路２１０に流れ、アース出力端子２０４を経てアース線２０３に流れる。この結果、球に帯電した静電気によって制御ボックス装置６等の電子部品等が誤動作される不具合を良好に防止することができる。
【００３５】
また、電源基板２００のアース回路２１０のアース出力端子２０４がアース線２０３によって接地されている状態において、裏セット部材１６の球タンク７０、球誘導樋７１、上部払出樋７２、球払出装置７３、下部払出樋７４、集合樋７５等の球通路を流れる球（パチンコ球）の摩擦によって静電気が発生し、その静電気が裏セット部材１６に帯電した場合、その裏セット部材１６に帯電した静電気は、裏セット用ヒンジ機構１２０のヒンジ板１２２及び接続端子１８０を経て接続線２３１に流れる。そして、接続線２３１に流れた静電気は、第１のアース入力端子２１５、逆流防止素子２２０を経てアース回路２１０に流れ、その後、アース出力端子２０４を経てアース線２０３に流れる。このため、裏セット部材１６に帯電した静電気によって制御ボックス装置６等の電子部品等が誤動作される不具合を良好に防止することができる。
【００３６】
また、電源基板２００のアース回路２１０のアース出力端子２０４がアース線２０３によって接地されていない場合、遊技領域１４ａに打ち出される球に帯電している静電気は、レール１５に流れる。レール１５に流れた静電気は、導電接続部材２９０及び表枠３０のガラス枠３３の下枠部３４における下部差込片３６を介して、ガラス枠３３及び補強部材３１ａに流れる。そして、前記静電気の一部は、ガラス枠３３及び補強部材３１ａにおいて放電される。
また、この実施の形態１において、球に帯電した静電気の一部は、導電性を有する裏セット部材１６に流れ、その裏セット部材１６においても放電される。この結果、電源基板２００のアース回路２１０のアース出力端子２０４がアース線２０３によって接地されていない場合においても、球に帯電した静電気によって制御ボックス装置６等の電子部品等が誤動作される不具合を良好に防止することができる。
【００３７】
また、電源基板２００のアース回路２１０のアース出力端子２０４がアース線２０３によって接地されていない場合、裏セット部材１６に帯電した静電気の一部は、導電性材料よりなる裏セット部材１６自身の放電作用によって放電される。また、裏セット部材１６に帯電した静電気のうちの一部は、裏セット用ヒンジ機構１２０のヒンジ板１２２、ヒンジ軸１２３及びヒンジ板１２１を経て導電接続部材１６０に流れる。その後、静電気はベース枠用ヒンジ機構１００のヒンジ板１０２及び固定ピン１０４を経て表枠用ヒンジ機構１４０のヒンジ板１４３、ヒンジ軸１４２及び軸受け筒部１４１を経て表枠３０の補強部材３１ａに流れ、その補強部材３１ａの大きい表面積において良好に放電される。
このようにして裏セット部材１６に帯電した静電気を、裏セット部材１６自身の放電作用によって放電すると共に、補強部材３１ａにおいても放電することができる。このため、電源基板２００のアース回路２１０のアース出力端子２０４がアース線２０３によって接地されていない場合においても、裏セット部材１６に帯電した静電気によって制御ボックス装置６等の電子部品等が誤動作される不具合を良好に防止することができる。
【００３８】
また、補強部材３１ａは表枠３０の略全域にわたりかつ大きい表面積に形成することが容易であり、その補強部材３１ａにおいて、所望とする放電面積を容易に確保することができる。このため、補強部材３１ａに流れた静電気は補強部材３１ａの大きい表面積、すなわち、大きい放電面積において良好に放電される。さらに、この実施の形態では、補強部材３１ａとガラス枠３３によって放電面積を効果的に拡大することができるため、静電気を良好に放電することができる。
また、この実施の形態１において、レール１５と補強部材３１ａとを電気的に接続するための導電接続部材２９０は、金属製ばね材より形成され、その一端部２９１が補強部材３１ａと一体のガラス枠３３の下枠部３４の下部差込片３６に弾性的に圧接し、他端部２９２がレール１５又はレール１５に接続された導電性部材としてのアウト口の口金１５ａに弾性的に圧接することによって、レール１５と補強部材３１ａとを容易にかつ接続不良なく確実に接続することができる。このため、電線等を用いてレール１５又はレール１５に接続された導電性部材としてのアウト口の口金１５ａと、補強部材３１ａとを電気的に接続する煩わしさを解消することができる。
さらに、ベース枠１０に対し遊技盤１３を脱着する際、導電接続部材２９０の他端部２９２をレール１５又はレール１５に接続された導電性部材としてのアウト口の口金１５ａに対し接離させることによって対処することができ、導電接続部材２９０が遊技盤１３の脱着の妨害物となる不具合も軽減することができる。
【００３９】
また、この実施の形態１において、図１５に示すように、発射ハンドル装置２０において発生した静電気、例えば遊技者の静電気が発射ハンドル装置２０に流れた場合、その発射ハンドル装置２０の静電気は、電気的接続手段２４０、第２のアース入力端子２１６、逆流防止素子２２１、アース回路２１０、及びアース出力端子２０４を経てアース線２０３に流れる。このため、遊技者の静電気が原因となる不具合を防止することができる。
また、この実施の形態１では、制御ボックス装置６の制御基板において、その基板アースに流れる電流が電気的接続手段２４１を通しかつ逆流防止素子２２２を介してアース回路２１０に流れるため、制御基板を保護することができる。また、アース回路２１０に流れた電流は、逆流防止素子２２２によって制御基板側に向けて逆流する不具合を防止することができる。
【００４０】
また、図１５に示すように、電源基板２００のアース回路２１０が逆流防止素子２０８を介して交流入力の電源線２０８に接続されている場合においては、静電気の一部が、裏セット用ヒンジ機構１２０、接続線２３１、第１のアース入力端子２１５、逆流防止素子２２０を経てアース回路２１０に流れ、その後、逆流防止素子２０８を介して交流入力の電源線２０８に流れる。このため、静電気によって制御ボックス装置６等の電子部品等が誤動作される不具合をより一層確実に防止することができる。
【００４１】
また、アース回路２１０が電源基板２００の基板アースに対し逆流防止素子２１２を介して接続されている場合においては、静電気の一部が、裏セット用ヒンジ機構１２０、接続線２３１、第１のアース入力端子２１５、逆流防止素子２２０を経てアース回路２１０に流れ、その後、逆流防止素子２１２を介して基板アースに流れる。このため、静電気によって制御ボックス装置６等の電子部品等が誤動作される不具合をより一層確実に防止することができる。
【００４２】
また、この実施の形態１において、金属製で弾性を有するワイヤよりなる導電接続部材１６０において、その導電接続部材１６０の一端部の接続部１６１を、ベース枠用ヒンジ機構１００におけるヒンジ板１０２に弾性的に圧接させ、同導電接続部材１６０の他端部の接続部１６２を、支持枠体１１の枠部１１ａのボス部の中心孔に嵌挿してその接続部の先端を裏セット用ヒンジ機構１２０のヒンジ板１２１の取付ネジ１２５に弾性的に圧接させることで、裏セット用ヒンジ機構１２０と、表枠用ヒンジ機構１４０とを、ベース枠用ヒンジ機構１００のヒンジ板１０２を介して容易にかつ接続不良なく確実に接続することができる。このため、電線等を用いて裏セット用ヒンジ機構１２０と、表枠用ヒンジ機構１４０とを電気的に接続する煩わしさを解消することができる。
【００４３】
一方、パチンコ機１の外枠２に固定されたベース枠用ヒンジ機構１００の一部を構成するヒンジ板１０１の外表面に対し絶縁テープ２８１が貼り付けられ、球貸機２５１とパチンコ機１とが絶縁状態に保持されている。
このため、球貸機２５１において発生した静電気がヒンジ板１０１を通してパチンコ機１に流れるのを防止することができる。この結果、球貸機２５１において発生した静電気が原因となる不具合を防止することができる。例えば、球貸機２５１において発生した静電気がベース枠用ヒンジ機構１００のヒンジ板１０１を通し、導電接続部材１６０、接続線２３１、第１のアース入力端子２１５、逆流防止素子２２０を経てアース回路２１０に流れることを防止することができ、球貸機２５１において発生した静電気によって、アース回路２１０が損傷される不具合を解消することができる。特に、球貸機２５１が現金式球貸機である場合にはその効果が大きい。
【００４４】
なお、前記実施の形態１において、表枠用ヒンジ機構１４０のヒンジ板１４３はベース枠１０の前面に対し、同ベース枠１０の裏面に固定のベース枠用ヒンジ機構１００のヒンジ板１０２と共通の固定ピン１０４によって固定されている。これによって、裏セット用ヒンジ機構１２０と、表枠用ヒンジ機構１４０とが、ベース枠用ヒンジ機構１００のヒンジ板１０２を介しかつ導電接続部材１６０によって電気的に接続されるが、これ以外の電気接続手段によって接続することも可能である。例えば、表枠用ヒンジ機構１４０のヒンジ板１４３の一部をベース枠１０の裏面側に直接または導電部材を介して露出させ、そのヒンジ板１４３と、裏セット用ヒンジ機構１２０のヒンジ構成部品とを導電接続部材１６０によって電気的に接続することも可能である。
また、ベース枠１０の支持枠体１１の一部を導電性樹脂によって形成して、その導電性樹脂部分によって導電接続部材１６０として機能させることも可能である。
【００４５】
（実施の形態２）
次に、この発明の実施の形態２を図１６と図１７にしたがって説明すると、この実施の形態２においては、裏セット部材１６の球通路を流れる球に帯電した静電気を放電するために、裏セット部材１６の球通路の一部、例えば、タンクレールとも呼ばれている球球誘導樋７１に導電性金属板よりなる集電部材１８１が配設されている。
この集電部材１８１と裏セット用ヒンジ機構１２０のヒンジ板１２２の取付ネジ１２６によって構成された接続端子１８０とを電気的に接続するために、導電性金属ワイヤよりなる導電接続部材１９０の一端１９１が球球誘導樋７１の集電部材１８１にビスやはんだ付けによって電気的に接続され、同集電部材１８１の他端部が、接続端子１８０に電気的に接続されている。
この実施の形態２のその他の構成は前記実施の形態１と同様に構成されるため、同一構成部分に対し同一符号を付記してその説明は省略する。
【００４６】
したがって、この実施の形態２において、実施の形態１とほぼ同様の作用効果を奏する。すなわち、電源基板２００のアース回路２１０のアース出力端子２０４がアース線２０３によって接地されていない場合、遊技領域１４ａに打ち出される球に帯電している静電気は、レール１５を通して、導電接続部材２９０、ガラス枠３３及び補強部材３１ａに流れる。そして、前記静電気の一部は、ガラス枠３３及び補強部材３１ａにおいて放電される。また、前記静電気の一部は、導電性を有する裏セット部材１６に流れ、その裏セット部材１６においても放電される。
また、裏セット部材１６に帯電した静電気の一部は、裏セット部材１６自身の放電作用によって放電される。また、裏セット部材１６に帯電した静電気のうちの一部は、裏セット用ヒンジ機構１２０、導電接続部材１６０及びベース枠用ヒンジ機構１００のヒンジ構成部品の一部を経て表枠用ヒンジ機構１４０に流れ、表枠３０の補強部材３１ａの大きい放電面積において良好に放電される。
【００４７】
特に、この実施の形態２において、球誘導樋７１を流れる球に静電気が帯電している場合、その球に帯電した静電気は、集電部材１８１及び導電接続部材１９０を経て接続端子１８０に流れ、その後は、裏セット用ヒンジ機構１２０、導電接続部材１９０及びベース枠用ヒンジ機構１００のヒンジ構成部品の一部を経て表枠用ヒンジ機構１４０に流れる。このため、前記静電気の一部は、ガラス枠３３及び補強部材３１ａにおいて放電される。また、前記静電気の一部は、導電性を有する裏セット部材１６に流れ、その裏セット部材１６においても放電される。この結果、電源基板２００のアース回路２１０のアース出力端子２０４がアース線２０３によって接地されていない場合においても、静電気によって制御ボックス装置６等の電子部品等が誤動作される不具合を良好に防止することができる。
【００４８】
なお、前記実施の形態２においては、裏セット部材１６の球誘導樋７１に導電性金属板よりなる集電部材１８１が配設される場合を例示したが、球誘導樋の他に、球タンク７０、上部払出樋７２、球払出装置７３、下部払出樋７４、集合樋７５等の球通路の一部に、例えば導電性金属板よりなる集電部材を配設し、その集電部材と接続端子とを導電接続部材によって電気的に接続してもよい。
【００４９】
また、前記実施の形態１及び２において、裏セット用ヒンジ機構１２０のヒンジ板１２２に接近して配置された電源基板２００に対し、パチンコ機１の球に帯電した静電気や、パチンコ機１の各部で発生した静電気を逃がすためのアース回路２１０が設けられている場合を例示したがこれに限定するものではなく、専用のアース基板に対しアース回路を設け、そのアース基板の各アース入力端子に対し、裏セット部材や発射ハンドル装置、球タンク等の静電気が帯電（発生）する構成部材を接続するように構成してもよい。
【００５０】
また、前記実施の形態１及び２においては、遊技領域１４ａに打ち出された球に帯電している静電気が、レール１５、口金１５ａ、導電接続部材２９０、ガラス枠３３、及び補強部材３１ａに流れ、逆流防止素子２２０（逆流防止部材、逆流防止手段）を介してアース回路２１０に流れるように構成したが、これに限定するものではない。例えば、ガラス枠３３を導電接続部材（電線のような接続線等も含む）によってかつ逆流防止素子２２０（逆流防止部材、逆流防止手段）を介してアース回路２１０に接続することも可能である。この場合、逆流防止素子２２０によってアース回路２１０側からガラス枠３３に向けて電流が逆流する不具合を防止することができる。
【００５１】
また、前記実施の形態１及び２においては、遊技盤１３のレール１５と、表枠３０における補強部材３１ａに一体状に設けられたガラス枠３３とを金属製の板バネよりなる導電接続部材２９０によって電気的に接続され、その導電接続部材２９０を支持枠体１１に固定した場合を例示したがこれに限定するものではない。
例えば、導電接続部材２９０をベース枠１０側（ベース枠１０と支持枠体１１とのうち、少なくとも一方の部材）に固定すればよい。
また、導電接続部材２９０は、金属製の板バネの他、金属製バネ線材、導電性樹脂バネ、導電性ゴム材等を用いることも可能である。
例えば、導電接続部材がブロック状の導電性ゴムである場合、遊技盤１３側と表枠３０側との間に挟み込まれるようにして導電接続部材が配設される。これによって、導電接続部材の一端部が遊技盤１３のレール１５又はレール１５に接続された導電部材に圧接し、導電接続部材の他端部が表枠３０の導電部分に圧接させて、遊技盤１３のレール１５と、表枠３０の導電性部分とを電気的に接続することも可能である。
【００５２】
また、前記実施の形態１及び２においては、遊技盤１３の前側を覆うようにして配設された表枠３０は、表枠本体３１、補強部材３１ａ、ガラス枠３３等を備え、表枠本体３１は、合成樹脂材料よりなり、その略中央部に遊技盤１３の遊技領域１４を透視可能な略円形の開口窓３２が形成され、補強部材３１ａ及びガラス枠３３は、鉄板等の金属板よりなり導電性部分をなす導電部材として存在し、かつ静電気の放電部材（又は集電部材）として機能するように構成したが、これに限定するものではない。
例えば、合成樹脂製の表枠本体３１の適宜箇所に補強リブを形成することによって、剛性を確保し、その表枠本体３１の裏面側に放電部材として機能する導電性部材を配設することによって、補強部材３１ａを削減することが可能である。
また、表枠３０の表枠本体３１をカーボンファイバー混入の導電性樹脂材料によって形成し、剛性を確保することによって、強固な構造にすることができため、補強部材３１ａは必ずしも設けなくてもよい。
また、表枠本体３１をカーボンファイバー混入の導電性樹脂材料、又は導電性金属材によって形成することによって、表枠本体３１の全体において放電効果が得られる。
すなわち、表枠３０は少なくとも一部分（表枠全体も含む）に導電性部分を有していればよい。
【００５３】
【発明の効果】
以上述べたように、この発明によれば、遊技機の球に帯電した静電気をレール及び導電接続部材を介して表枠の導電性部分において放電することができ、球の静電気が原因となって制御回路装置等が誤動作される不具合を良好に防止することができる。
【図面の簡単な説明】
【図１】この発明の実施の形態１の裏セット部材と表枠の補強部材とが裏セット用ヒンジ機構、導電接続部材、ベース枠用ヒンジ機構及び表枠用ヒンジ機構を介して電気的に接続された状態を示す説明図である。
【図２】同じくベース枠用ヒンジ機構のヒンジ板と裏セット用ヒンジ機構のヒンジ板とが導電接続部材によって電気的に接続された状態を示すベース枠の部分背面図である。
【図３】同じくパチンコ機の外枠に対しベース枠用ヒンジ機構を支点としてベース枠が開かれた状態を示す斜視図である。
【図４】同じく外枠に対しベース枠用ヒンジ機構を支点としてベース枠が開かれそのベース枠に対し表枠用ヒンジ機構を支点として表枠が開かれた状態を示す斜視図である。
【図５】同じくパチンコ機の全体を示す正面図である。
【図６】同じくパチンコ機の全体を示す背面図である。
【図７】同じく図５のＶＩＩ−ＶＩＩ線に基づくパチンコ機の縦断面図である。
【図８】同じく遊技盤のレールと補強部材のガラス枠とが導電接続部材に電気的に接続された状態を拡大して示す断面図である。
【図９】同じく図５のＩＸ−ＩＸ線に基づくパチンコ機の横断面図である。
【図１０】同じく表枠全体を示す背面図である。
【図１１】同じく図１０のＸＩ−ＸＩ線に基づく表枠の部分断面図である。
【図１２】同じくパチンコ機の片側部に球貸機が配置された状態を示す斜視図である。
【図１３】同じく球貸機とパチンコ機とがヒンジ板の絶縁テープによって電気的に絶縁された状態を示す断面図である。
【図１４】同じく球貸機とパチンコ機と分離した状態を示す斜視図である。
【図１５】同じく遊技機としてのパチンコ機における裏セット部材、補強部材、アース回路の関係を示す接続配線図である。
【図１６】この発明の実施の形態２のパチンコ機の全体を示す背面図である。
【図１７】同じく遊技機としてのパチンコ機における裏セット部材、補強部材、アース回路の関係を示す接続配線図である。
【図１８】この発明の他の実施態様を示すもので遊技盤のレール、アウト口の口金、及びアタッカ装置の本体部との関係を示す説明図である。
【符号の説明】
１  パチンコ機（遊技機）
２  外枠
１０  ベース枠
１１  支持枠体（支持部）
１３  遊技盤
１４ａ  遊技領域
１５  レール
１６  裏セット部材
２９  ガラス板
３０  表枠
３１  表枠本体
３１ａ  補強部材（導電性部分、導電性部材）
３２  開口窓
３３  ガラス枠（導電性部分、導電性部材）
１００  ベース枠用ヒンジ機構
１２０  裏セット用ヒンジ機構
１４０  表枠用ヒンジ機構
１６０  導電接続部材
２００  電源基板
２０３  アース線
２０４  アース出力端子（アース接続端子）
２１０  アース回路
２１５、２１６、２１７  アース入力端子
２２０、２２１、２２２  逆流防止素子（逆流防止手段）
２５１  球貸機
２６１  絶縁テープ（絶縁手段）
２９０  導電接続部材
【図１】
0004399537.tif 000002
【図２】
0004399537.tif 000003
【図３】
0004399537.tif 000004
【図４】
0004399537.tif 000005
【図５】
0004399537.tif 000006
【図６】
0004399537.tif 000007
【図７】
0004399537.tif 000008
【図８】
0004399537.tif 000009
【図９】
0004399537.tif 000010
【図１０】
0004399537.tif 000011
【図１１】
0004399537.tif 000012
【図１２】
0004399537.tif 000013
【図１３】
0004399537.tif 000014
【図１４】
0004399537.tif 000015
【図１５】
0004399537.tif 000016
【図１６】
0004399537.tif 000017
【図１７】
0004399537.tif 000018
【図１８】
0004399537.tif 000019